(57)【要約】【課題】本発明により、鏡部の着脱を容易に行うことができるデンタルミラーを提供することを目的とする。【解決手段】この発明は、ミラー支持体４と鏡部３とを備えるデンタルミラー２であって、ミラー支持体４を、保持用取手５に着脱可能な接合手段を有する接続杆４３と、接続杆４３と連接する平面であるとともに、平面に対して垂直方向に貫通する正多角形の挿入孔４２を有した鏡部設置板４１とを備え、鏡部３を、ミラー３１を嵌め込んだ鏡挿着皿３２と、鏡挿着皿３２の反対側の面に挿入孔４２の厚さと略同一の高さであるとともに、鏡部３とミラー支持体４とを相対的に回転可能となるようにした回転補助円柱３３と、ミラー３１に対して垂直方向から視て挿入孔４２と略同一の正多角形を呈するとともに、回転補助円柱３３の鏡面側に対向する底面側に設けられた固定板３４とを備え、鏡部３とミラー支持体４とを相対的に回転して固定可能となるようにした。【選択図】図２
2016016107.tif 000002
【特許請求の範囲】
【請求項１】
支持部と鏡部とを備えるデンタルミラーであって、
前記支持部を、
把持部に着脱可能な接合手段を有する首部と、
該首部と連接する平面であるとともに、該平面に対して垂直方向に貫通する正多角形の孔部を有した固定部とを備え、
前記鏡部を、
前記鏡面を有する鏡面部と、
前記鏡面部の反対側の面に、前記孔部の厚さと略同一の高さであるとともに、前記鏡部と前記支持部とを相対的に回転可能となるようにした突部と、
前記鏡面に対して垂直方向から視た前記孔部の形状と略同一の正多角形を呈するとともに、前記突部の鏡面側に対向する側に設けられた板部とを備え、
前記鏡部と前記支持部とを相対的に回転して固定可能となる
デンタルミラー。
【請求項２】
前記正多角形を、正四角形としたことを特徴とする
請求項１記載のデンタルミラー。
【請求項３】
前記鏡面部に、前記支持部に対し係合する係合部を備える
請求項１又は請求項２に記載のデンタルミラー。
【請求項４】
前記係合部を、
前記支持部と係合するように案内できるテーパ状とする
請求項３に記載のデンタルミラー。
【請求項５】
少なくとも、前記板部の底面である正多角形の頂点及び、前記頂点に対向する頂点又は前記頂点に対向する辺の両端に位置する頂点に対応する前記突部の底面の外周上の点から、前記正多角形の中心までの長さが、前記孔部の前記正多角形の中心から各辺に下した垂線の長さよりも長いことを特徴とする
請求項１乃至４のうちいずれかに記載のデンタルミラー。
【請求項６】
把持部に着脱可能に取り付けられたことを特徴とする
請求項１乃至５のうちいずれかに記載の取手付きデンタルミラー。
【発明の詳細な説明】
【技術分野】
【０００１】
この発明は、主に歯科医が歯の治療の際に用いるデンタルミラーに関する。
【背景技術】
【０００２】
デンタルミラーは、一般に歯科医療等で用いる器具であり、口腔内で直接見ることが困難な上顎にある歯等を確認するためや、舌や頬粘膜といった軟組織を移動することで、口腔内において十分な視野を確保したり、歯の施術を行う際に軟組織が巻き込まれないようにしたりするために用いる。
【０００３】
このようにデンタルミラーは、口腔内に挿入して用いるため、例えば治療の際に、歯茎等から出た血液が付着することがある。そのため、デンタルミラーの使用に際しては、ＨＩＶ（ヒト免疫不全ウイルス）やＢ型肝炎、Ｃ型肝炎といった血液を媒体として感染する病気を予防する必要がある。その手段として、使用毎に廃棄するか、オートクレーブ等を用いて高温高圧条件下で滅菌する方法等がある。
【０００４】
しかし、デンタルミラーを使用毎に廃棄すると、ゴミの問題及び資源の再利用の観点から好ましくない。また、オートクレーブを用いるにしても、通常デンタルミラーに使用する鏡はガラス製の鏡であり、耐熱性が低く、オートクレーブにかけることで鏡の機能が低下する問題があった。
【０００５】
このような問題に対して、例えば、特許文献１に開示しているような、着脱式のステンレス製デンタルミラーがある。  
詳述すると、特許文献１に開示するデンタルミラーは、鏡をステンレス製としているため、ガラス製の鏡に比べて耐熱性が高く、オートクレーブを多数回使用することができる。また、特許文献１に開示するデンタルミラーは、柄の支持部に対して鏡部を着脱することができるため、例えばオートクレーブを多数回行うことにより、鏡の質が劣化した場合でも、廃棄するのは鏡の部分のみでよく、ゴミの減量化、省資源化を実現できるとされている。
【０００６】
しかし、特許文献１で開示されている着脱式のステンレス製デンタルミラーは、鏡部を支持部に着脱するのに手間がかかる問題があった。
【先行技術文献】
【特許文献】
【０００７】
【特許文献１】登録実用新案第３１０２２６６号公報
【発明の概要】
【発明が解決しようとする課題】
【０００８】
この発明は、上述した問題を鑑み、鏡部と支持部との着脱を容易に行うことができるデンタルミラーを提供することを目的とする。
【課題を解決するための手段】
【０００９】
この発明は、支持部と鏡部とを備えるデンタルミラーであって、前記支持部を、把持部に着脱可能な接合手段を有する首部と、該首部と連接する平面であるとともに、該平面に対して垂直方向に貫通する正多角形の孔部を有した固定部とを備え、前記鏡部を、鏡面を有する鏡面部と、前記鏡面部の反対側の面に、前記孔部の厚さと略同一の高さであるとともに、前記鏡部と前記支持部とを相対的に回転可能となるようにした突部と、前記鏡面に対して垂直方向から視た前記孔部の形状と略同一の正多角形を呈するとともに、前記突部の鏡面側に対向する底面側に設けられた板部とを備え、前記鏡部と前記支持部とを相対的に回転して固定可能としたデンタルミラーであることを特徴とする。
【００１０】
前記接合手段とは、歯科医療等で使用する際に、前記支持部と前記把持部とが容易に外れることがないように接合するための手段であり、例えば、ネジや磁石などの磁力を用いるもの、または係止めのための機構等を含む概念である。
【００１１】
また、前記デンタルミラーの材質は、人体に有害でなく、歯科医療等での使用に耐えうる程度に十分な強度を有していれば、どのような材質であっても良く、例えば、ステンレスのような合金や、フッ素樹脂等であっても良い。また、前記デンタルミラーの材質を、チタン又はチタン合金をすることで、前記結合手段として用いることができるネジのネジ山等の損傷を軽減することができる。
【００１２】
また、鏡面を有する鏡面部とは、鏡面と一体となった構造を備える鏡面部のみならず、鏡面の取り付けが可能な構造を有する鏡面部を含む概念である。なお、鏡面とは、歯科医療等で用いる際に、目的である歯牙を映すことができる鏡であればよく、ガラス製の鏡でもよいし、ステンレス等の金属製の鏡であってもよい。  
さらにまた、前記鏡面部の鏡面の反対側である裏面の形状は、鏡面に対して水平である場合のほか、該裏面の一部分が隆起している形状であっても良い。
【００１３】
また、前記正多角形とは、全ての辺の長さが等しく、各内角の大きさが等しい多角形のみならず、多角形の各頂点を形成する二辺の成す角が丸みを帯びた形状も含む概念とする。なお、正多角形を基本としていれば、各頂点から突出する突出部がある形状等としてもよい。
【００１４】
また、略同一の正多角形とは、前記孔部の正多角形と略同一の大きさであるが、前記鏡部に備えられている前記板部が、前記孔部に挿通することができる程度の大きさであることを必要とする。
【００１５】
さらにまた、前記突部の底面の形状は、前記鏡部と前記支持部とを相対回転できればよく、頂点の数が偶数奇数を問わず正多角形であっても良いし、正円や楕円などの円形状や他の図形であっても構わない。また、前記突部の底面の形状が正多角形である場合、該正多角形は、前記板部の底面の頂点の数の２以上の整数倍である正多角形であることが好ましく、さらには前記突部の底面である正多角形は、前記板部の底面である正多角形の頂点の数の偶数倍の頂点を有する正多角形であることがより好ましい。
【００１６】
この発明により、前記支持部に前記鏡部を容易に着脱することができる。  
詳述すると、本発明のデンタルミラーは、前記支持部に正多角形の前記孔部を有する固定部を備え、前記鏡部の鏡面の反対側の面に、前記孔部の厚さと略同一の高さであるとともに、前記鏡部と前記支持部とを相対的に回転可能となるようにした突部と、鏡面に対して垂直方向から視た前記孔部の形状と略同一の正多角形を底面とするとともに、該底面が前記突部の鏡面側に対向する底面側に設けられた板部とを備え、前記鏡部と前記支持部とを相対的に回転して固定可能としたため、前記鏡部に有する前記突部及び前記板部を前記支持部の前記孔部に挿入することができ、前記鏡部の挿入状態において、前記鏡部に対して前記支持部を前記突部に沿って回転することができる。前記支持部を前記鏡部に対して回転することにより、前記板部の正多角形の各頂点と前記鏡面部の裏側とで前記固定部を挟み込み、前記鏡部を前記固定部に固定することができる。
【００１７】
さらに、前記孔部及び前記突部の底面の形状を正多角形とすることにより、固定又は取り外しをするために必要な回転角を小さくすることができるとともに、前記鏡部を前記固定部に安定して固定することができる。
【００１８】
詳しくは、正多角形の各頂点は、正多角形の重心に対して回転対称であるため、前記板部を前記支持部に対して水平回転させた場合に、前記板部は各頂点で前記固定部をバランスよく固定することができる。これにより、前記鏡部と支持部との固定が安定する。  
したがって、容易に鏡部を支持部に着脱することができるとともに、鏡部を支持部に安定して固定することができる。
【００１９】
またこの発明の態様として、前記正多角形を、正四角形としたことを特徴とすることができる。
【００２０】
この発明により、前記鏡部を前記支持部に挿入した状態において、前記鏡部を前記支持部に対して４５度回転することにより、前記鏡部を前記支持部にしっかりと保持することができる。また、上述の前記鏡部を保持した状態から前記支持部に対して４５度回転することにより、前記鏡部を前記支持部から取り外すことができる。したがって、着脱が容易なデンタルミラーを提供することができる。
【００２１】
さらに、前記鏡部を前記支持部に挿入した状態において、前記鏡部を４５度回転することにより、前記鏡部は、前記鏡部が有する正四角形の頂点である四点で固定部を固定するため、着脱が容易ながら安定性が向上する。
【００２２】
またこの発明の態様として、前記鏡面部に、前記支持部に対し係合する係合部を備える構成とすることができる。  
この発明により、前記鏡面部に備える前記係合部が、前記支持部を係合することにより、前記鏡面部、つまりは前記鏡面部を備える鏡部が前記支持部に対して固定され、より安定して、前記鏡部を前記支持部に固定することができる。
【００２３】
またこの発明の態様として、前記係合部を、前記支持部と係合するように案内できるテーパ状とすることができる。  
この発明により、前記鏡部に備える前記係合部に、前記支持部を容易に係合することができる。
【００２４】
またこの発明の態様として、少なくとも、前記板部の底面である正多角形の頂点及び、前記頂点に対向する頂点又は前記頂点に対向する辺の両端に位置する頂点に対応する前記突部の底面の外周上の点から、前記正多角形の中心までの長さが、前記孔部の前記正多角形の中心から各辺に下した垂線の長さよりも長いことを構成とすることができる。
【００２５】
この発明により、前記鏡部を、前記支持部に対してより安定して固定することができる。  
詳述すると、少なくとも、前記板部の底面である前記正多角形の頂点及び、前記頂点に対向する頂点又は前記頂点に対向する辺の両端に位置する頂点に対応する前記突部の底面の外周上の点から、前記正多角形の中心までの長さを、前記孔部の前記正多角形の中心から各辺に下した垂線の長さよりも長くすることにより、前記突部を前記孔部に挿入した状態において、前記鏡部を、前記正多角形の内角の半分の値に相当する角度で回転させた場合、前記突部の側面と、前記孔部の内周面とが相互に圧力をかけることとなり、前記鏡部と前記支持部とが圧着することができ、前記支持部に前記鏡部をより安定して固定することができる。
【００２６】
この発明の構成として把持部に着脱可能に取り付けられた構成とすることができる。  
この発明により、把持部と一体となった取手付きデンタルミラーを提供することができ、使い勝手が良くなるとともに、オートクレーブ等で滅菌する際に、把持部を支持部から取り外し支持部のみを滅菌することができる。
【発明の効果】
【００２７】
本発明により、鏡部と支持部との着脱を容易に行うことができるデンタルミラーを提供すること。
【図面の簡単な説明】
【００２８】
【図１】取手付きデンタルミラーの概略斜視図。
【図２】取手付きデンタルミラーの分解斜視図。
【図３】デンタルミラー及びミラー支持体の斜視図。
【図４】デンタルミラーの六面図。
【図５】ミラー着脱用具の六面図及び断面図。
【図６】ミラー支持体の六面図。
【図７】鏡部とミラー支持体の挿着説明図。
【図８】鏡部とミラー支持体の他の実施例。
【図９】係合リブの他の実施例
【図１０】鏡部とミラー支持体との固定に関する他の実施例
【図１１】鏡部とミラー支持体との固定に関する他の実施例
【図１２】鏡部とミラー支持体との固定に関する他の実施例。
【発明を実施するための形態】
【００２９】
以下、図面を参照し、本発明の実施形態を詳しく説明する。  
図１は、取手付きデンタルミラー１の概略斜視図を示し、図２は、取手付きデンタルミラー１の分解斜視図を示し、図３は、デンタルミラー２及びミラー支持体４の斜視図を示し、図４は、デンタルミラー２の六面図を示し、図５は、鏡部３の六面図及び断面図を示し、図６は、ミラー支持体４の六面図を示し、図７は、鏡部３とミラー支持体４の挿着説明図を示し、図８は鏡部３とミラー支持体４の他の実施例を示し、図９は係合リブ３５の他の実施例を示し、図１０乃至図１２は鏡部３とミラー支持体４の固定に関する他の実施例を示している。
【００３０】
図１に示すように、取手付きデンタルミラー１は、デンタルミラー２と保持用取手５から構成されている分解可能なステンレス製のデンタルミラーである。また、デンタルミラー２は、さらに鏡部３及びミラー支持体４から構成されており、鏡部３とミラー支持体４は相互に着脱することが可能である（図２参照）。
【００３１】
なお、本実施例において、取手付きデンタルミラー１をステンレス製としているが、本発明において材質をステンレスに限定するものではなく、人体に有害でなく、歯科医療等での使用において十分な強度を有していれば、他の金属やプラスチック等の高分子樹脂であっても良い。また、取手付きデンタルミラー１の材質をチタン又はチタン合金にすることで、後述する結合雄ネジ４４及び結合雌ネジ５２のネジ山の損傷を軽減することができ、より好ましい取手付きデンタルミラー１を提供することができる。
【００３２】
ここで、デンタルミラー２の全体像を把握するために、図４にデンタルミラー２の六面図を示す。図４（ａ）は、デンタルミラー２を鏡面の垂直方向上側から視た平面図を表す。図４（ｂ）はデンタルミラー２を後述する接続杆４３側から観察したデンタルミラー２の背面図を表し、図４（ｃ）は正面図を、図４（ｄ）は左側面図、図４（ｅ）は底面図を表す。  
なお、デンタルミラー２の右側面図は、デンタルミラー２の左側面図と対称であるため図示していない。
【００３３】
鏡部３は、歯科医療等において、目的である歯牙等の患部等を映すため等に用いる鏡を有する部分であり、かつ、後述するミラー支持体４に対して嵌合することができるものである。図２で示すように、鏡部３はミラー３１、鏡挿着皿３２、回転補助円柱３３、固定板３４及び係合リブ３５により構成されている。
【００３４】
ここで、鏡部３の全体像を把握するために、図５に鏡部３の六面図を示す。ここで、図５（ａ）は、鏡部３を鏡面垂直方向上側からみた平面図を表す。図５（ｂ）は鏡部３を後述する係合リブ３５側から観察した鏡部３の背面図を表し、図５（ｃ）は正面図を、図５（ｄ）は左側面図、図５（ｅ）は底面図を表す。また、図５（ｆ）は、図５（ａ）のＡ−Ａ断面を、正面から見た際の鏡部３の断面図を表す。  
なお、鏡部３の右側面図は、鏡部３の左側面図と対称であるため図示していない。
【００３５】
ミラー３１は、歯牙等の患部等を映し出すための鏡であり、口腔内である程度の動きを許容できる程度の大きさであるガラス製の鏡である。  
【００３６】
本実施例において、ミラー３１はガラス製の鏡としているが、ミラー３１は目的である歯牙を映すことができればよく、例えば、ステンレス製の鏡としてもよい。さらに、ステンレス製の円形板の一面に鏡面を形成するための金属メッキ層を設けてあり、ミラー３１の全体の薄さが０．５〜０．７ｍｍの鏡であっても良い。また、薄さや大きさも、口腔内である程度の操作ができれば、本実施例に記載する内容に制限する必要はない。
【００３７】
鏡挿着皿３２は、伸縮性を有する高分子樹脂を材料とし、ミラー３１の高さと略同一の深さを有するとともに、ミラー３１の形状よりも一回り小さい形状の窪みを有する。この窪みにミラー３１を嵌め込むことで、伸縮性を有する鏡挿着皿３２がミラー３１を圧着し、ミラー３１を嵌合することができる。  
また、本実施例において、ミラー３１は鏡挿着皿３２に取付ける形としているが、これに限定するものでなく、ミラー３１と鏡挿着皿３２とが一体となっていてもよい。
【００３８】
さらにまた、ミラー３１を挿着した鏡装着皿３２の鏡面に対する反対側の面は、ミラー３１に対して水平な面を形成しているが、固定板３４を挿入孔４２に挿入させた後に、鏡部３とミラー支持体４とを相対回転できる程度に、鏡装着皿３２の鏡面に対する反対側の面の一部分が隆起している形状、例えば、図１１に示すように、後述する結合リブ３５に対応する位置に鏡部３がミラー支持体４に対して相対回転できる程度の突部３８を有する形状としても良い。  
なお、前記隆起部分は、図４に示すような、鏡部３の結合リブ３５がミラー支持体４に設けた接続杆４３に係合した平面図において、接続杆４３の中心線を鏡部３側に延ばした直線上に形成していることが好ましい。
【００３９】
回転補助円柱３３は、ミラー３１が鏡挿着皿３２に嵌合した状態において、鏡面の裏側であって、鏡面に対して垂直方向に所定の高さを有するとともに、底面が所定の半径を有する円であり、鏡挿着皿３２と同一材質からなる。
【００４０】
なお、本実施例において、回転補助円柱３３は、底面が正円である円柱としているが、鏡部３をミラー支持体４に挿入させた場合に、鏡部３とミラー支持体４とを相対回転できれば、正円である必要はなく、偶数奇数を問わず正多角形であっても良いし、楕円や他の図形であっても構わない（図示省略）。なお、回転補助円柱３３の底面の形状が正多角形の場合、固定板３４の正多角形の頂点の数のｎ倍（ｎは２以上の整数）の頂点を有する正多角形であることが好ましく、さらに固定板３４の正多角形の頂点の数の偶数倍の頂点を有する正多角形がより好ましい。
【００４１】
固定板３４は、鏡挿着皿３２の鏡面の裏側において、回転補助円柱３３の鏡挿着皿３２側と反対側に設けられた、各頂点を形成する二辺の成す角が、丸みを帯びている正四角形の板状体である。なお、以下の実施例において、正四角形とは、多角形の各頂点を形成する二辺の成す角が丸みを帯びているもののことをいう。また、回転補助円柱３３の底面である円は、図７に示すように、固定板３４の正四角形の各辺に内接している。
【００４２】
したがって、固定板３４の正四角形の各頂点に対応する部分は、この部分に対向する鏡挿着皿３２の対応箇所と、この部分に対応する回転補助円柱３３の側面部分とで、幅が回転補助円柱３３の高さとなる溝３６を形成する（図７（ａ）参照）。
【００４３】
なお、本実施例において、鏡面に対して垂直方向から回転補助円柱３３と固定板３４の底面を見た場合、回転補助円柱３３と固定板３４の底面とは内接しているが、必ずしもこの実施形態に限るものではなく、例えば、回転補助円柱３３の底面が、固定板３４の底面である四角形の対向する二辺とのみ内接していてもよく、また、どの辺とも内接していなくても良い（図示省略）。
【００４４】
また、本実施例において、固定板３４は正四角形の板状体としているが、正多角形の板状体であればよく、例えば、図８（ａ）に示すように、固定板３４の板部分に該当する図形を正三角形としてもよく、また、正五角形としてもよい（図８（ｂ）参照）。さらに、固定板３４が、正多角形を基本とする図形であれば、各頂点から突出する突出部３７がある形状等としてもよい（図８（ｃ）参照）。
【００４５】
係合リブ３５は、鏡部３をミラー支持体４に固定した際に、後述する接続杆４３と係合し鏡部３をミラー支持体４に固定する係合リブである。  
なお、係合リブ３５の形状を、ミラー支持体４と係合するように案内するテーパ状としても良い。
【００４６】
詳述すると、図９に示すように、接続杆４３と鏡部３が係合している場合において、接続杆４３と接している係合リブ３５の面と対向する面の形状を、テーパ状とすることができる（図９（ｂ）参照）。このような構成の結合リブ３５を備える鏡部３の固定板３４を、ミラー支持体４の挿入孔４２に挿入させた後に、鏡部３とミラー支持体４とを相対回転させると、接続杆４３がテーパ状の係合リブ３５に沿うため、テーパ状でない場合に比べて、鏡部３はミラー支持体４に対して容易に回転できる。そして、接続杆４３が、鏡部の回転より、係合リブ３５のテーパ面を超えることで接続杆４３は係合リブ３５と係合して回転方向に固定される。このように、係合リブ３５の所定部分をテーパ状とすることで鏡部３とミラー支持体４とを容易に相対回転することができ、鏡部３とミラー支持体４との係合を容易とすることができる。
【００４７】
ミラー支持体４は、鏡部３を取付けることが可能であるとともに、後述する保持用取手５と螺合することができ、鏡部設置板４１、挿入孔４２、接続杆４３及び結合雄ネジ４４で構成されている。
【００４８】
ここで、ミラー支持体４の全体像を把握するために、図６にミラー支持体４の六面図を示す。図６（ａ）は、ミラー支持体４を鏡面に対して垂直方向上側からみた平面図を表す。図６（ｂ）はミラー支持体４を後述するミラー支持体４側から観察したミラー支持体４の背面図を表し、図６（ｃ）は正面図を、図６（ｄ）は左側面図、図６（ｅ）は底面図を表す。  
なお、ミラー支持体４の右側面図は、ミラー支持体４の左側面図と対称であるため図示していない。
【００４９】
鏡部設置板４１は、図３（ｂ）で示すように、鏡部３を設置するための平らで円形の板材であり、厚さが、回転補助円柱３３の高さと略同一であるが、鏡部３とミラー支持体４との相対回転を妨げる厚さとはならない。
【００５０】
挿入孔４２は、鏡部設置板４１の平面に対し垂直方向に貫通した、正四角形状での孔であり、挿入孔４２の平面に対して垂直方向からみた形状は、固定板３４を挿入孔４２に挿入可能な範囲で、固定板３４の形状と略同一である。
【００５１】
接続杆４３は、鏡部設置板４１と後述する保持用取手５とをつなぐ棒体であり、歯科医療等において、取手付きデンタルミラー１のデンタルミラ―２の部分を口腔内の奥に挿入した場合でも、接続杆４３の相当な長さが口腔の外に出る程度の長さを有している。
【００５２】
結合雄ネジ４４は、保持用取手５とミラー支持体４とを螺合するための雄型ネジである。なお、本実施例において、結合雄ネジ４４は雄型ネジを想定しているが、歯科医療等で使用する際に、容易に着脱しない程度に保持用取手５と結合することができれば、雄型ネジに限定する必要はなく、例えば、雌型ネジでもよいし、また磁石などの磁力を用いる構成や、係合できるような構成及びこれらの組み合わせであっても良い。
【００５３】
保持用取手５は、歯科医療等において歯科医が取手付きデンタルミラー１を持つための取手部分であり、把持部分であるハンドル５１とミラー支持体４と螺合するための結合雌ネジ５２とで構成する。
【００５４】
なお、結合雄ネジ４４と同様に、本実施例において結合雌ネジ５２は雌型ネジを想定しているが、結合雄ネジ４４と一対となってミラー支持体４と保持用取手５とを結合できればよく、雌型ネジに限定する必要なない。
【００５５】
次に、上記構成に基づく鏡部３とミラー支持体４との着脱について、図２及び図７を用いて説明する。
【００５６】
図２は、鏡部３とミラー支持体４とを取り外したデンタルミラー２を、斜め下方向から視た分解斜視図である。なお、図２において、鏡挿着皿３２を基準にミラー３１がある方向を上方向、鏡部設置板４１がある方向を下方向とする。  
図７は鏡部３がミラー支持体４に挿着した状態の、デンタルミラー２の底面図及び左側面図を表す。なお、図７の左側側面図の上方の図は、鏡部３の左側側面図を示す。
【００５７】
鏡部３の固定板３４の底面の形状と、鏡面に対して垂直方向から視たミラー支持体４の挿入孔４２の形状は、略同一であるため、固定板３４を挿入孔４２に嵌まるように固定板３４と挿入孔４２の相対位置を調整し（図２参照）、鏡部３を下方に下すことで鏡部３はミラー支持体４に挿着することができる（図７（ａ）参照）。
【００５８】
ここで、上述したように、鏡面に対して垂直方向からみた回転補助円柱３３の底面の形状は、固定板３４の各辺に内接する円であり、回転補助円柱３３の高さは、鏡部設置板４１の厚さ、つまりは挿入孔４２の厚さと略同一である。したがって、ミラー支持体４と鏡部３は、固定板３４に沿って相対回転することができる。
【００５９】
また、鏡部３を左側面方向から観察した場合に（図７（ａ）参照）、鏡挿着皿３２の裏側と、回転補助円柱３３の側面及び固定板３４の上面で溝３６を構成しており、挿入孔４２の厚さと、溝３６の幅でもある回転補助円柱３３の高さとが略同一であるため、鏡部３をミラー支持体４に装着した後、相対回転させることにより、鏡部設置板４１の一部が溝３６に挟入され、鏡部３がミラー支持体４に固定される。
【００６０】
具体的には、図７（ｂ）に示す底面図に示すように、ミラー支持体４に挿着された鏡部３を、ミラー支持体４に対して、固定板３４の平面方向中心から垂直方向に伸びる垂線を軸に時計回りに４５度回転させることにより、鏡部設置板４１が溝３６に嵌まり込むと同時に、鏡部３の固定板３４の各頂点が、鏡部設置板４１の挿入孔４２が貫通していない箇所に位置することとなる。これにより、鏡部３は、鏡挿着皿３２と固定板３４により、鏡部設置板４１を挟み込むこととなり、鏡部３をミラー支持体４に固定することができる。
【００６１】
即ち、鏡部３とミラー支持体４を小さい回転角で相対回転することで、鏡部３をミラー支持体４に容易に固定することができるだけでなく、固定板３４の形状を正四角形とすることで、鏡部設置板４１を、固定板３４の中心に対して点対称な位置にある頂点と鏡挿着皿３２とで挟み込むため、バランスよく鏡部３とミラー支持体４とが固定される。  
この際に、係合リブ３５が接続杆４３に係合するため、鏡部３はミラー支持体４に対してより安定して固定することができる。
【００６２】
さらに、図７（ｂ）で示す底面図の状態から、鏡部３を、ミラー支持体４に対し、鏡面に垂直な方向であって、挿入孔の中心軸に沿って時計回り又は反時計回りに４５度回転させることにより、固定板３４の各頂点の位置と挿入孔４２の頂点の位置が一致し、固定板３４を挿入孔４２から抜くことができる。これにより、ミラー支持体４から鏡部３を取り外すことができる。  
したがって、鏡部３とミラー支持体４を相対的に小さい回転角で回転することで、鏡部３をミラー支持体４から容易に取り外すことができる。
【００６３】
このように、取手付きデンタルミラー１は、ミラー支持体４に対して鏡部３を決まった角度でわずかに回転させる事により容易に鏡部３とミラー支持体４とを着脱する事ができる。
【００６４】
ここで、本実施例においては、回転補助円柱３３の底面の形状を正円としているが（図７参照）、図１０に示すように、回転補助円柱３３の底面の形状を正八角形とすることができる。なお、該正八角形の四辺は挿入孔４２の各辺に接している（図１０（ａ）参照）。
【００６５】
この構成により、固定板３４を挿入孔４２に挿入し、鏡部３をミラー支持体４に対して相対回転させると、回転補助円柱３３の側面はミラー着脱用具設置板４１に押され、撓むこととなる。  
そして、鏡部３がミラー支持体４に対してさらに回転させ、回転角が４５度になると（図１０（ｂ）参照）、回転補助円柱３３の各頂点の撓みが戻る。これにより、回転補助円柱３３の各頂点が鏡部３とミラー支持体４との相対回転を妨げるため、力を加えない限り鏡部３はミラー支持体４に対して容易に相対回転できなくなる。
【００６６】
また、固定板３４の各頂点部分は、挿入孔４２の孔部分がない位置となり、固定板３４の各頂点部分とこれに対向する鏡装着皿３２の面でミラー着脱用具設置板４１を挟み込むため、鏡部３はミラー支持体４に安定して固定される。
【００６７】
また、図１１に示すように、鏡装着皿３２の鏡面の反対側である裏面に突部３８を設けた構成とすることができる。
【００６８】
この構成により、固定板３４を挿入孔４２に挿入した際、突部３８により、鏡装着皿３２はミラー着脱用具設置板４１に対して傾いた状態となる。この場合に、固定板３４の大部分はミラー着脱用具設置板４１よりも下方に突出しているが、固定板３４のうち突部３８に対向する箇所は一部が挿入孔４２を貫通することができない（図１１（ａ）点線部分）。
【００６９】
この固定板３４を挿入孔４２に挿入した後に、鏡部３をミラー支持体４に対して相対回転させると、ミラー着脱用具設置板４１が溝３６に嵌まりこむことで、固定板３４が撓んでミラー着脱用具設置板４１の下方に位置するようになる。この際、固定板３４に反発力が働くため、固定板３４と鏡装着皿３２とがミラー着脱用具設置板４１を強固に挟み込むこととなる。  
これにより、突部３８が無い場合に比べて、鏡部３とミラー支持体４との上下方向の遊びが無くなり、鏡部３はミラー支持体４により強固に固定される。
【００７０】
次に、鏡部３をミラー支持体４に対して相対回転した際に、ミラー支持体４の挿入孔４２を構成する側面と鏡部３の回転補助円柱３３の側面とが圧着することにより、鏡部３をよりミラー支持体４に固定できる構成を、図１２に基づいて説明する。  
なお、上述した取手付きデンタルミラー１と同様の構成については、同一の符号を付して、その説明を省略する。
【００７１】
図１２は、図７と同様に、鏡面の裏側からデンタルミラー２を観察したデンタルミラー２の背面図である。  
なお、図１２（ａ）に示すように、回転補助円柱３３の底面の中心を点Ｃとし、点Ｃから挿入孔４２である正四角形の各辺に引いた垂線と各辺との交点を点Ｙとし、その長さをｌとする。また、点Ｃから挿入孔４２の各頂点に対応する回転補助円柱３３上の点Ｘとし、点Ｃから点Ｘまでの長さをｒとする。
【００７２】
鏡面に対して垂直方向から視た回転補助円柱３３の形状は、挿入孔４２の中心点を中心とした半径ｒの円であるとともに、挿入孔４２の各辺に接する部分を直線とする形状である。すなわち、長さｒは長さｌよりも大きい。  
なお、直線部分と曲線部分との交点は丸みを帯びた形状であるため、鏡部３はミラー支持体４に対して相対回転することができる。
【００７３】
例えば、固定板３４を挿入孔４２に挿通させ、挿入孔４２の中心であって、鏡面に垂直方向に伸びる軸を回転軸として、鏡部３を４５度時計回りに回転させた場合、固定板３４の頂点に対応する点Ｘは、挿入孔４２の外周よりも少し外側に位置することとなる（図１２（ｂ）において点線で表示）。
【００７４】
ここで、回転補助円柱３３は、伸縮性を有する材質の高分子樹脂であるため、回転補助円柱３３を上述のように４５度回転した場合、固定板３４の各頂点に対応する回転補助円柱３３の点Ｘは、挿入孔４２の内周面に押されることとなる（図１２（ｂ）参照）。これにより、固定板３４の各頂点に対応する箇所と、挿入孔４２の各辺の点Ｙとが押し合う形となり、鏡部３は鏡面に対して水平方向でミラー支持体４に圧着することとなる。  
また、鏡部３は、鏡部３をミラー支持体４に対して相対回転させると、鏡部設置板４１は溝３６に嵌め込まれることで鏡部３が撓むこととなり、鏡部３とミラー支持体４との間に反発力が働き、鏡部３はより強固にミラー支持体４に固定される。
【００７５】
一方で、上記固定状態から、鏡部３をさらに４５度回転することにより、回転補助円柱３３と挿入孔４２の各辺との間にある反発力が無くなり、鏡部３とミラー支持体４とが圧着されることがなくなり、鏡部３をミラー支持体４から容易に取り外すことができる。
【００７６】
このように、ミラー支持体４と鏡部３とを備えるデンタルミラー２であって、ミラー支持体４を、保持用取手５に着脱可能な接合手段を有する接続杆４３と、接続杆４３と連接する平面であるとともに、平面に対して垂直方向に貫通する正多角形の挿入孔４２を有した鏡部設置板４１とを備え、鏡部３を、鏡面を有するミラー３１と、ミラー３１の反対側の面に、挿入孔４２の厚さと略同一の高さであるとともに、鏡部３とミラー支持体４とを相対的に回転可能となるようにした回転補助円柱３３と、鏡面に対して垂直方向から視た挿入孔４２の形状と略同一の正多角形を呈するとともに、回転補助円柱３３の鏡面側設けられた固定板３４とを備え、鏡部３とミラー支持体４とを相対的に回転して固定可能となるデンタルミラー２であることを特徴とすることにより、ミラー支持体４に鏡部３を容易に着脱することができる。
【００７７】
詳述すると、本発明のデンタルミラー２は、ミラー支持体４に正多角形の孔である挿入孔４２を有する鏡部設置板４１を備え、鏡部３のミラー３１を嵌め込んだ鏡挿着皿３２の反対側の面に、挿入孔４２の厚さと略同一の高さであるとともに、鏡部３とミラー支持体４とを相対的に回転可能となるようにした回転補助円柱３３と、鏡面に対して垂直方向から視た挿入孔４２の形状と略同一の正多角形を呈するとともに、回転補助円柱３３の鏡面側に設けられた固定板３４とを備え、鏡部３とミラー支持体４とを相対的に回転して固定可能としたため、鏡部３に有する回転補助円柱３３及び固定板３４をミラー支持体４の挿入孔４２に挿入することができ、鏡部３の挿入状態において、鏡部３に対してミラー支持体４を回転補助円柱３３に沿って回転することができる。そして、ミラー支持体４を鏡部３に対して回転することで、固定板３４の正多角形の各頂点とミラー３１を嵌め込んだ鏡挿着皿３２の裏側とで鏡部設置板４１を挟み込み、鏡部３を鏡部設置板４１に固定することができる。
【００７８】
さらに、挿入孔４２及び回転補助円柱３３及び固定板３４の底面の形状を正多角形とすることにより、固定又は取り外しをするために必要な回転角を小さくすることができるとともに、安定して固定することができる。
【００７９】
詳しくは、正多角形の各頂点は、正多角形の重心に対して回転対称であるため、固定板３４をミラー支持体４に対して水平回転させた場合に、固定板３４は各頂点で鏡部設置板４１をバランスよく固定することができる。これにより、鏡部３とミラー支持体４との固定が安定する。  
したがって、容易に鏡部３をミラー支持体４に着脱することができるとともに、鏡部３をミラー支持体４に安定して固定することができる。
【００８０】
また、正多角形を、正四角形としたことを特徴とすることにより、鏡部３をミラー支持体４に挿入した状態において、鏡部３をミラー支持体４に対して４５度回転することにより、鏡部３をミラー支持体４にしっかりと保持することができ、また、上述の鏡部３を保持した状態からミラー支持体４に対して４５度回転することにより、鏡部３をミラー支持体４から取り外すことができる。したがって、着脱が容易なデンタルミラーを提供することができる。
【００８１】
さらに、鏡部３をミラー支持体４に挿入した状態において、鏡部３を４５度回転することにより、鏡部３は、固定板３４が有する正四角形の頂点とである四点と鏡挿着皿３２とで鏡部設置板４１を固定するため、着脱が容易ながら安定性が向上する。
【００８２】
また、ミラー３１を嵌め込んだ鏡挿着皿３２にミラー支持体４と係合する係合リブ３５を備えることにより、ミラー３１を嵌め込んだ鏡挿着皿３２に備えられた係合リブ３５が、ミラー支持体と４を係合する。これにより、鏡部３がミラー支持体４に対して固定され、より安定して鏡部３をミラー支持体４に固定することができる。
【００８３】
また、係合リブ３５を、ミラー支持体４と係合するように案内できるテーパ状とすることができる。  
この発明により、鏡部３に備える係合リブ３５に、ミラー支持体４を容易に係合することができる。
【００８４】
また、少なくとも、固定板３４の底面である正多角形の頂点及び、頂点に対向する頂点又は頂点に対向する辺の両端に位置する頂点に対応する回転補助円柱３３の底面の外周上の点から、正多角形の中心までの長さが、挿入孔４２の正四角形の中心から各辺に下した垂線の長さよりも長いことを構成とすることにより、鏡部３を、ミラー支持体４に対してより強固に固定することができる。
【００８５】
詳述すると、少なくとも、固定板３４の底面である正多角形の頂点及び、頂点に対向する頂点又は頂点に対向する辺の両端に位置する頂点に対応する回転補助円柱３３の底面の外周上の点から、正多角形の中心までの長さを、挿入孔４２の正多角形の中心から各辺に下した垂線の長さよりも長くすることにより、回転補助円柱３３を挿入孔４２に挿入した状態において、鏡部３を、正多角形の内角の半分の値に相当する角度を回転させた場合、回転補助円柱３３の側面と、挿入孔４２の内周面とが相互に圧力をかけることとなり、鏡部３とミラー支持体４とが圧着することができ、ミラー支持体４に鏡部３をより安定して固定することができる。
【００８６】
また、保持用取手５に着脱可能に取り付けられたことを特徴とすることにより、保持用取手５と一体となった取手付きデンタルミラー１を提供することができ、使い勝手が良くなるとともに、オートクレーブ等で滅菌する際に、保持用取手５をデンタルミラー２から取り外し、デンタルミラー２のみを滅菌することができる。
【００８７】
この発明の構成と、上述の実施形態との対応において、
鏡面部は、ミラー３１を嵌め込んだ鏡挿着皿３２に対応し、
突部は、回転補助円柱３３に対応し、
板部は、固定板３４に対応し、
係合部は、係合リブ３５に対応し、
支持部は、ミラー支持体４に対応し、
固定部は、鏡部設置板４１に対応し、
孔部は、挿入孔４２に対応し、
首部は、接続杆４３に対応し、
接合手段は、結合雄ネジ４４に対応し、
把持部は、保持用取手５に対応するが、この発明は、上述の実施形態の構成のみに限定されるものではなく、多くの実施の形態を得ることができる。
【００８８】
例えば、上記実施例において、取手付きデンタルミラー１をステンレス製としているが、人体に有害でなく、歯科医療等での使用に耐えうる程度において十分な強度を有していれば、他の金属やプラスチック等の高分子樹脂であっても良い。また、取手付きデンタルミラー１の材質をチタン又はチタン合金にすることで、後述する結合雄ネジ４４及び結合雌ネジ５２のネジ山が損傷を軽減することができる、より好ましい取手付きデンタルミラー１を提供することができる。
【００８９】
また、上記実施例において、回転補助円柱３３は正円を底面とする円柱としているが、正円である必要なく、鏡部３とミラー支持体４とを相対的に回転して固定可能であれば、三角柱であっても良い。
【００９０】
また、本実施例において、固定板３４を多角形の各頂点を形成する二辺の成す角が、丸みを帯びた正四角形の板状体としているが、正多角形とは、各辺の長さが等しく、多角形の各頂点を形成する二辺の成す角が等しく、角が丸みを帯びていない図形を含む。また、固定板３４の底面は、鏡面垂直方向から視た挿入孔４２の形状と略同一の図形で、正多角形を基本とした図形であれば、頂点に例えば羽根状の突出部分が加えられていても良い。
【符号の説明】
【００９１】
１…取手付きデンタルミラー
２…デンタルミラー
３…鏡部
３１…ミラー
３２…鏡挿着皿
３３…回転補助円柱
３４…固定板
３５…係合リブ
３６…溝
３７…突出付加部
４…ミラー支持体
４１…ミラー着脱用具設置板
４２…挿入孔
４３…接続杆
４４…結合雄ネジ
５…保持用取手
５１…ハンドル
５２…結合雌ネジ
【図１】
2016016107.tif 000003
【図２】
2016016107.tif 000004
【図３】
2016016107.tif 000005
【図４】
2016016107.tif 000006
【図５】
2016016107.tif 000007
【図６】
2016016107.tif 000008
【図７】
2016016107.tif 000009
【図８】
2016016107.tif 000010
【図９】
2016016107.tif 000011
【図１０】
2016016107.tif 000012
【図１１】
2016016107.tif 000013
【図１２】
2016016107.tif 000014